(57)【要約】  【課題】  塗膜転写テープを使い切る終期に近づくに従って、塗膜転写テープの張力が次第に増加する構成になってしまっている。よって、被転写面へ塗膜転写テープの塗膜を転写させようとしても、テープの繰出力が重くなってしまい、容易に転写できないばかりでなく、テープを繰り出すこともできなくなってしまう危険性がある。強いては、塗膜転写テープが破断してしまう危険性もある。  【解決手段】  基材テープに塗膜を形成した塗膜転写テープを繰り出す繰出コアと、前記塗膜を被転写面に押圧して転写させる塗膜転写ヘッドと、前記塗膜を被転写面に転写後、基材テープを巻き取る巻取コアと、前記繰出コアと巻取コアを連動させる連動機構とをケース本体に内蔵した塗膜転写具において、前記連動機構に前記繰出コアの繰り出し速度と巻取コアの巻き取り速度をほぼ一定にする速度調整手段を設けた塗膜転写具。【選択図】  図１
2009241335.tif 000002
【特許請求の範囲】
【請求項１】
基材テープに塗膜を形成した塗膜転写テープを繰り出す繰出コアと、前記塗膜を被転写面に押圧して転写させる塗膜転写ヘッドと、前記塗膜を被転写面に転写後、基材テープを巻き取る巻取コアと、前記繰出コアと巻取コアを連動させる連動機構とをケース本体に内蔵した塗膜転写具において、前記連動機構に前記繰出コアの繰り出し速度と巻取コアの巻き取り速度をほぼ一定にする速度調整手段を設けたことを特徴とする塗膜転写具。
【請求項２】
前記繰出コア、並びに、巻取コアにテーパ軸を設けると共に、そのテーパ軸をケース本体に設けられた回転支軸に枢着し、また、その回転支軸に対して平行な方向に前記テーパ軸を移動可能としたことを特徴とする請求項1記載の塗膜転写具。
【請求項３】
前記テーパ軸の内面に雌ねじ部を形成すると共に、回転支軸の外面に雄ねじ部を形成し、それらを螺合させたことを特徴とする請求項２に記載の塗膜転写具。
【請求項４】
前記繰出コア、並びに、巻取コアにテーパ軸を設けると共に、そのテーパ軸をケース本体に設けられた回転支軸に枢着し、また、前記テーパ軸の外周にテーパネジ部を設けたことを特徴とする、請求項1記載の塗膜転写具。
【請求項５】
前記連動機構に摩擦抵抗によって回転を伝達する弾性伸縮帯を設けたことを特徴とする請求項１乃至４記載の塗膜転写具。
【請求項６】
前記繰出コアに、その繰出コアと一体的に回転する第２の繰出コアを設けると共に、その第２の繰出しコアに前記塗膜転写テープと同じ厚さを有する第2のテープを装着し、また、その第2の繰出コアに巻かれた第2のテープの外周に接して回転する連動ローラーを設け、さらに、その連動ローラーの回転を前記巻取コアに伝達させたことを特徴とする請求項１記載の塗膜転写具。
【請求項７】
前記繰出コアに、その繰出コアと一体的に回転する第２の繰出コアを設けると共に、前記巻取コアにその巻取コアと一体的に回転する第２の巻取コアを設け、また、前記第２の繰出しコアに前記塗膜転写テープと同じ厚さを有する第2のテープを装着し、さらに、前記繰り出される第２のテープの外周部と巻き取られた第２のテープの外周部に摩擦抵抗によって回転を伝達する弾性伸縮帯を巻回したことを特徴とする請求項１記載の塗膜転写具。
【発明の詳細な説明】
【技術分野】
【０００１】
本発明は、塗膜転写テープを繰り出す繰出コアと、塗膜を転写後、基材テープを巻き取る巻取コアを有する塗膜転写具に関する。
【背景技術】
【０００２】
従来の塗膜転写具は、塗膜転写テープを繰り出す繰出コアと、塗膜を被転写面に転写後、基材テープを巻き取る巻取コアとを連動させる機構をケース本体に内蔵している。
以下、具体的に説明する。ケース内には、塗膜転写テープを巻回した繰出リールと使用後の塗膜転写テープを回収する巻取リールとが回動自在に設けられている。前記ケースの先端部には、塗膜転写テープを被転写部上に加圧する塗膜転写用ヘッドが突設されており、前記繰出リールから繰り出した塗膜転写テープを、前記ヘッドの先端加圧部を経由させて巻取リールに巻着するよう構成されている。また、その巻取リールを前記繰出リールに連動する自動巻取式とするとともに、これら両リールにおける塗膜転写テープの繰出速度と巻取速度を同期させる滑り機構が備えられている。その滑り機構は、塗膜転写テープを巻回した繰出円筒がエラストマー製摩擦部材を介して前記繰出リールのボス部の外周に回動自在に軸支されている。
更に、繰出リールと巻取リールは、各々に取り付けられた駆動歯車と従動歯車との噛合によって回転が伝達されている。そして、それら駆動歯車と従動歯車との歯車比は、ほぼ２：１になっている。つまり、駆動歯車が１回転すると、従動歯車は２回転するように構成されている。
【０００３】
即ち、それらの繰出リールと巻取リールを連動させる機構は、塗膜転写テープを繰り出す繰出速度と基材テープを巻き取る巻取速度が使い始める初期状態においてほぼ等しく、つまり、繰り出すテープの長さと巻き取るテープの長さが、巻き取るテープの長さが若干長いもののほぼ等しく設定されている。よって、初期状態においては繰出リールと巻取リール間におけるテープの張力が弱く設定されているが、塗膜転写テープの使用に従って、繰出リールに巻かれた塗膜転写テープの巻き付け外径が小さくなるので、同じ長さの塗膜転写テープを繰り出すためには、繰出リールの回転数が増加し、かつ、その繰出リールに連動されている巻取リールの回転数も、前記の繰出リールの回転数の増加に伴って次第に増加される。これに加え、巻取リールに巻かれた基材テープの巻き付け外径も次第に大きくなる。その結果、巻き取るテープの長さは繰り出すテープの長さよりも回転数の増加と巻き付け外径の増加分だけ増長することになり、塗膜転写テープを使い切る終期においては繰り出すテープの長さと巻き取るテープの長さに大きな差が生じてしまい、即ち、繰り出される以上に巻き取られる量が多くなってしまい、その結果、滑り機構は備えられているものの、テープの張力が大幅に増加してしまうという問題があった。
【０００４】
【特許文献１】特開平５−５８０９７号公報
【発明の開示】
【発明が解決しようとする課題】
【０００５】
以上のことから、塗膜転写テープを使い切る終期に近づくに従って、塗膜転写テープの張力が次第に増加する構成になってしまっている。よって、被転写面へ塗膜転写テープの塗膜を転写させようとしても、テープの繰出力が重くなってしまい、容易に転写できないばかりでなく、テープを繰り出すこともできなくなってしまう危険性がある。強いては、塗膜転写テープが破断してしまう危険性もある。
【課題を解決するための手段】
【０００６】
本発明は、基材テープに塗膜を形成した塗膜転写テープを繰り出す繰出コアと、前記塗膜を被転写面に押圧して転写させる塗膜転写ヘッドと、前記塗膜を被転写面に転写後、基材テープを巻き取る巻取コアと、前記繰出コアと巻取コアを連動させる連動機構とをケース本体に内蔵した塗膜転写具において、前記連動機構に前記繰出コアの繰り出し速度と巻取コアの巻き取り速度をほぼ一定にする速度調整手段を設けたことを要旨とする。
【発明の効果】
【０００７】
本発明によれば、基材テープに塗膜を形成した塗膜転写テープを繰り出す繰出コアと、前記塗膜を被転写面に押圧して転写させる塗膜転写ヘッドと、前記塗膜を被転写面に転写後、基材テープを巻き取る巻取コアと、前記繰出コアと巻取コアを連動させる連動機構とをケース本体に内蔵した塗膜転写具において、前記連動機構に前記繰出コアの繰り出し速度と巻取コアの巻き取り速度をほぼ一定にする速度調整手段を設けたので、使用を始める初期から使い切る終期にかけて、塗膜転写テープの張力を常にほぼ一定に保つことができ、それ故に、繰り出し力が重くなってしまったり、塗膜転写テープが破断してしまうと言った問題を極力防止することができる。
【発明を実施するための最良の形態】
【０００８】
図１〜図６に第１例を示す。図1は、本発明の内部機構を示す正面図である。本体ケース１には、塗膜転写テープ２を繰り出し可能に巻きつけられた繰出コア３と、繰り出された塗膜転写テープ２を被転写面に押圧して転写させる塗膜転写ヘッド４と、塗膜転写された後の基材テープを巻き取る巻取コア５と、繰出コア３と巻取コア５を連動させる、弾性伸縮帯６が、テーパ軸９、１０に架け渡されて内蔵されている。前記塗膜転写テープ２は、基材テープ２ａと、その基材テープ２ａの片側の表面に剥離可能に付着された塗膜２ｂとから構成されている。
【０００９】
次に図２は、本発明の連動機構を示す一部分解斜視図である。回転支軸７、８には、それぞれテーパ軸９、１０が回転可能に配置されているが、テーパ軸９の外径は、テーパ軸１０の外径よりも大きく形成されている。回転支軸７、８には部分的に雄ネジ部１１、１２が形成されており、それぞれに螺合するようにテーパ軸にも雌ネジ部１３、１４が形成されている。繰出コア３及び巻取コア５には、テーパ軸９、１０と回転連動するための係合突起１５、１６が設置されており、テーパ軸９、１０の係合孔１７、１８と軸方向に平行に摺動可能に挿入してある。
【００１０】
次に図３は、本発明の連動機構を示す分解上面図である。テーパ軸９、１０には弾性伸縮帯６が配置されている。本図において、弾性伸縮帯６はテーパ軸９の大径部側９ａ、テーパ軸１０の小径部側１０ｂに配置されている。この状態は、塗膜転写具を使用する初期の状態を示している。図４は、図３の斜視図であり、各々の部品配置を判り易く示している。前記繰出コア３から繰り出された塗膜転写テープ２は、塗膜転写ヘッド４に巻回されて、被転写面へ塗膜２ｂが転写された後、基材テープ２ａが巻取コア５に巻き取られる。テーパ軸９、１０はそれぞれテーパの小径部側が大径部側に隣接する向きで配置されている。
【００１１】
図５、図６に、本発明の塗膜転写テープ２を使い始める初期の状態、並びに、塗膜転写テープ２を使い切る終期の状態を示す。図５は、初期の状態における上面図であり、図６は終期の状態である。初期の状態において、テーパ軸９及び１０は図中下方、繰出コア３及び巻取コア５に接するように配置されている。また、前記弾性伸縮帯６はテーパ軸９の大径部側９ａ、並びに、テーパ軸１０の小径部側１０ｂに配置されていると共に、その弾性伸縮帯６の横方向への移動は、前記ケース本体１に形成したリブによって移動不能に規制されている。即ち、弾性伸縮帯６の中央付近には、ケース本体1に形成された突起リブ形状をした弾性伸縮帯押さえ板１９、２０が配置されており、その弾性伸縮帯押さえ板１９、２０によって弾性伸縮帯６が挟み込まれている。挟み込まれているといっても、多少の隙間が形成されており、前記テーパ軸９などの回転に伴って回転自在になっている。
【００１２】
図５の状態から、使用に連れ塗膜転写テープ２が繰り出されると、その塗膜転写テープ２の繰出コア３の回転に連動してテーパ軸９も回転運動を始める。そのテーパ軸９が回転するための回転支軸７の表面には、雄ネジ部１１が形成されており、前記テーパ軸９の雌ネジ部１３と螺合状態にある。従って、そのテーパ軸９は回転運動と共に回転支軸７に対して軸心の平行方向にも移動することになる。同様にテーパ軸９の回転に連動してテーパ軸１０も回転運動を始める。そのテーパ軸１０が回転するための回転支軸８の表面には、雄ネジ部１２が形成されており、テーパ軸１０の雌ネジ部１４と螺合状態にある。従って、テーパ軸１０は回転運動と共に回転支軸８に対して軸心の平行方向にも移動することになる。
【００１３】
この二つのテーパ軸９、１０の回転支軸７、８に対する軸心と平行な方向への移動によって、終期の状態においては図６に示すように、テーパ軸９及び１０は図中上方、前記繰出コア３及び巻取コア５から離反するように移動する。しかし、前記弾性伸縮帯６の位置は、初期の状態と同様に、テーパ軸９の小径部側９ｂ、テーパ軸１０の大径部側１０ａに位置している。即ち、ケース本体1に配置されている前記弾性伸縮帯押さえ１９、２０によって、弾性伸縮帯６の図中上下方向の移動が規制されているのである。なお、前記繰出コア３及び巻取コア５も回転運動はするが、回転支軸７、８に設けた段部７ａ、８ａによって、軸心と平行な方向には移動しないように配置されている。
【００１４】
前記弾性伸縮帯６がテーパ軸９の大径部側９ａから小径部側９ｂに相対的に移動（回転）する速度は、前記繰出コア３に巻かれた塗膜転写テープ２の巻き着け外径が塗膜転写テープ２が繰り出されることによって小さくなることによる前記繰り出しコア３の回転速度の増加と同調しており、また、弾性伸縮帯６がテーパ軸１０の小径部側１０ｂから大径部側１０ａに相対的に移動する速度も同様に、巻取コア５に巻かれた基材テープ２ｂの巻き着け外径が基材テープ２ｂが巻き取られることによって大きくなることによる前記巻取コア５の回転速度の減少と同調しているため、塗膜転写テープ２が繰り出される速度と巻き取られる速度の比率が常にほぼ一定に保たれている。
また、前記弾性伸縮帯６は、初期状態においてある程度大きな張力を有しているが、終期の状態においては前記の張力は小さくなっている。即ち、終期の状態においては、テーパ軸９の大径部側９ａ、並びに、テーパ軸１０の小径部側１０ｂが弾性伸縮帯６に位置しているためである。
尚、使用の際には、その使用に連れて塗膜転写テープ２が巻かれた繰り出しコア３の速度と、テーパ軸９の速度比に若干の相違が発生するが、弾性伸縮帯６がテーパ軸９に対して一時的に滑り（スリップ）が発生し、その滑りによって前記速度比の相違が解消される。
【００１５】
次に図７乃至図９に第２例を示す。図７は、本発明の連動機構を示す一部分解斜視図である。回転支軸２１、２２には、それぞれテーパ軸２３、２４が回転可能に配置されている。テーパ軸２３、２４の外周には、そのテーパ軸のテーパ形状に応じたテーパネジ部２５、２６が設けてある。また、繰出コア３及び巻取コア５には、テーパ軸２３、２４と回転連動させる係合突起１５、１６が設置されており、前記テーパ軸２３、２４の係合孔１７、１８に挿入してあるが、本案においては、圧入固定などそれぞれが摺動することなく一体的に形成されている。
【００１６】
図８、図９に、本発明の塗膜転写テープ２を使い始める初期の状態、並びに、塗膜転写テープ２を使い切る終期の状態を示す。図８は、初期の状態における上面図であり、図９は終期の状態である。初期の状態において、弾性伸縮帯２７は図中上方、繰出コア３及び巻取コア５から離反するように配置されている。このとき、弾性伸縮帯２７はテーパ軸２３の大径部側２３ａ、テーパ軸２４の小径部側２４ｂに配置されていると共に、テーパ軸２３、２４のテーパネジ部２５、２６に係合・巻回している。
【００１７】
図８の状態から、使用に連れ塗膜転写テープ２が繰り出されると、繰出コア３の回転に連動してテーパ軸２３も回転運動を始める。前記繰出しコア３の回転と同時に巻取コア５も回転するが、その巻取コア５の回転に連動してテーパ軸２４も回転運動を始める。それらテーパ軸２３、２４の外周には、テーパ形状に応じたテーパネジ部２５、２６を設けているため、前記弾性伸縮帯２７はテーパネジ部２５、２６に係合しながら徐々にテーパ軸２３の小径部側２３ｂ、並びに、テーパ軸２４の大径部側２４ａに移動する（図９）。
【００１８】
前記弾性伸縮帯２７がテーパ軸２３の大径部側２３ａから小径部側２３ｂに相対的に移動（回転）する速度は、前記繰出コア３に巻かれた塗膜転写テープ２の巻き着け外径が塗膜転写テープ２が繰り出されることによって小さくなることによる前記繰出コア３の回転速度の増加と同調しており、また、弾性伸縮帯２７がテーパ軸２４の小径部側２４ｂから大径部側２４ａに相対的に移動する速度も同様に、巻取コア５に巻かれた基材テープ２ｂの巻き着け外径が基材テープ２ｂが巻き取られることによって大きくなることによる前記巻取コア５の回転速度の減少と同調しているため、塗膜転写テープ２が繰り出される速度と巻き取られる速度の比率が常にほぼ一定に保たれている。
【００１９】
次に図１０乃至図１３に第３例を示す。図１０は、使用する初期の状態の内部機構を示す正面図である。また、図１１は、初期の状態の分解斜視図である。本体ケース１には、塗膜転写テープ２を繰り出し可能に巻き付けられた繰出コア３と同軸で一体的に回転運動する第２の繰出コア２８が設けてある。また、その第２の繰出コア２８には塗膜転写テープ２と同じ厚さを有する第２のテープ２９が巻回されている。それら塗膜転写テープ２と第２のテープ２９は、それぞれ回転支軸３０に回転可能に軸支された繰出コア３、並びに、第２の繰出コア２８から同時に繰り出されて、回転支軸３１に回転可能に軸支された巻取コア５及び、その巻取コア５と同軸で一体的に回転運動する第２の巻取コア３２によって同時に巻き取られる。
前記第２の繰出コア２８に巻かれた第２のテープ２９の外周には、連動ローラー３３が前記第２のテープ２９が繰り出される回転運動に対して接触しながら回転している。その連動ローラー３３の回転運動は、弾性伸縮帯３４を介して巻取コア５及び、第２の巻取コア３２に伝えられる。また、連動ローラー３３は、回転支軸３１に揺動可能に設けられた揺動アーム３５の回転支軸３１とは反対側の端部に設けられた回転支軸３６に回転可能に軸支されている。前記回転支軸３１は、ケース１の内面に一体に形成されているが、別部材で形成し、ケース１に固定などしても良い。
尚、前記揺動アーム３５には、ばね受け軸３７が設けられており、また、本体ケース１にもばね受け壁３８が設けられている。そして、それらばね受け軸３７とばね受け壁３８には、ねじりコイルばね３９の端部が各々係合している。そのねじりコイルばね３９によって、前記塗膜転写テープ２及び第２のテープ２９の残量が少なくなっても、連動ローラー３３は常に第２のテープ２９の外周に接触しているのである。
【００２０】
前記第２の繰出コア２８に巻かれた第２のテープ２９の巻き付け外径が第２のテープ２９が繰り出されることによって小さくなることによる前記繰り出しコア３の回転速度の増加は、繰出コア３に巻かれた塗膜転写テープ２の巻き付け外径が塗膜転写テープ２が繰り出されることによって小さくなる繰出コア３の回転速度と同調している。それにより前記連動ローラー３３は、塗膜転写テープ２の繰り出された長さ分だけ回転するため、その塗膜転写テープ２が繰り出される速度と巻き取られる速度の比率を適切に保つことが出来るのである。
【００２１】
次に図１４、図１５に第４例を示す。図１４は、使い始める初期の状態の内部機構を示す正面図である。また、図１５は初期の状態の分解斜視図である。本発明は前記第３例の変形例であるので、同じ機能を設けてある箇所は同じ符号を付す。本体ケース１には、塗膜転写テープ２を繰り出し可能に巻き付けた繰出コア３と同軸で一体的に回転運動する第２の繰出コア２８が設けてある。また、その繰出コア２８には塗膜転写テープ２と同じ厚さを有する第２のテープ２９が巻回されている。前記転写テープ２は回転支軸３０に回転可能に軸支された繰出コア３から繰り出されて、回転支軸３１に回転可能に軸支された巻取コア５に巻き取られる。
また、前記繰出コア２８に巻かれた第２のテープ２９の外周には、連動ローラー４０が第２のテープ２９が繰り出される回転運動に対して接触しながら回転しており、その連動ローラー４０の回転運動は、第２のテープ２９を巻き取りながら、巻取コア５と同軸で一体的に回転運動する連動コア４１を介して巻取コア５にも伝えられる。
尚、前記連動ローラー４０は、その連動ローラー４０に設けられたばね受け軸４２と、本体ケース１に設けられたばね受け壁３８に、ねじりコイルばね４３の両端部を各々係合することによって、塗膜転写テープ２及び第２のテープ２９の残量が少なくなっても、常に第２のテープ２９の外周に接触している。
【００２２】
前記第２の繰出コア２８に巻かれた第２のテープ２９の巻き付け外径が第２のテープ２９が繰り出されることによって小さくなることによる前記第２の繰出コア２８の回転速度の増加は、繰出コア３に巻かれた塗膜転写テープ２の巻き付け外径が塗膜転写テープ２が繰り出されることによって小さくなる繰出コア３の回転速度と同調している。それにより連動ローラー４０は、塗膜転写テープ２の繰り出された長さ分だけ回転するため、塗膜転写テープ２が繰り出される速度と巻き取られる速度の比率を適切に保つことが出来るのである。
【００２３】
次に図１６乃至図１９に第５例を示す。図１６は、使い始める初期の状態の内部機構を示す正面図である。また、図１７は初期の状態の分解斜視図である。本体ケース１には、塗膜転写テープ２を繰り出し可能に巻き付けられた繰出コア３と同軸で一体的に回転運動する第２の繰出コア２８が設けてある。また、第２の繰出コア２８には塗膜転写テープ２と同じ厚さを有する第２のテープ２９が巻回されている。前記塗膜転写テープ２と第２のテープ２９は、それぞれ回転支軸３０に回転可能に軸支された繰出コア３、第２の繰出コア２８から同時に繰り出されて、回転支軸３１に回転可能に軸支された巻取コア５及び、巻取コア５と同軸で一体的に回転運動する第２の巻取コア３２に同時に巻き取られる。前記第２の繰出コア２８に巻かれた第２のテープ２９の外周及び、第2の巻取コアに巻かれた第2のテープ２９の外周には、それぞれの回転運動に対して接触しながら回転する弾性伸縮帯４４が架け渡されて設けられており、繰出コア３の回転運動が巻取コア５に伝えられる。
【００２４】
図１８は、終期の状態の内部機構を示す正面図である。また、図１９は終期の状態の分解斜視図である。前記塗膜転写テープ２及び、第２のテープ２９はそれぞれ回転支軸３０に回転可能に軸支された繰出コア３、第２の繰出コア２８から同時に繰り出されて次第に巻き付け外径は小さくなっていくと同時に、回転支軸３１に回転可能に軸支された巻取コア５及び、巻取コア５と同軸で一体的に回転運動する第２の巻取コア３２に同時に巻き取られて、次第に巻き取り外径は大きくなっていく。
【００２５】
前記第２の繰出コア２８に巻かれた第２のテープ２９の巻き付け外径が第２のテープ２９が繰り出されることによって小さくなることによる前記第２の繰出コア２８の回転速度の増加は、繰出コア３に巻かれた塗膜転写テープ２の巻き付け外径が塗膜転写テープ２が繰り出されることによって小さくなる繰出コア３の回転速度と同調している。それにより弾性伸縮帯４４は、塗膜転写テープ２の繰り出された長さ分だけ回転するため、塗膜転写テープ２が繰り出される速度と巻き取られる速度の比率を適切に保つことが出来るのである。
【図面の簡単な説明】
【００２６】
【図１】本発明の第1例の内部機構を示す正面図
【図２】図1の連動機構を示す一部分解斜視図
【図３】図1の連動機構を示す分解上面図
【図４】図３の斜視図
【図５】図1の塗膜転写初期における上面図
【図６】図1の塗膜転写終期における上面図
【図７】図２の変形例を示す一部分解斜視図
【図８】図７の塗膜転写初期における上面図
【図９】図７の塗膜転写終期における上面図
【図１０】別の実施例を示す正面図
【図１１】図１０の一部分解斜視図
【図１２】図１０の塗膜転写終期における正面図
【図１３】図１２の一部分解斜視図
【図１４】図１０の変形例を示す正面図
【図１５】図１４の一部分解斜視図
【図１６】別の実施例を示す正面図
【図１７】図１６の一部分解斜視図
【図１８】図１６の塗膜転写終期における正面図
【図１９】図１８の一部分解斜視図
【符号の説明】
【００２７】
１      本体ケース
２      塗膜転写テープ
２ａ    基材テープ
２ｂ    塗膜
３      繰出コア
４      塗膜転写ヘッド
５      巻取コア
６      弾性伸縮帯
７      回転支軸
８      回転支軸
９      テーパ軸
９ａ    大径部側
９ｂ    小径部側
１０    テーパ軸
１０ａ  大径部側
１０ｂ  小径部側
１１    雄ネジ部
１２    雄ネジ部
１３    雌ネジ部
１４    雌ネジ部
１５    係合突起
１６    係合突起
１７    係合孔
１８    係合孔
１９    弾性伸縮帯押さえ板
２０    弾性伸縮帯押さえ板
２１    回転支軸
２２    回転支軸
２３    テーパ軸
２３ａ  大径部側
２３ｂ  小径部側
２４    テーパ軸
２４ａ  大径部側
２４ｂ  小径部側
２５    テーパネジ部
２６    テーパネジ部
２７    弾性伸縮帯
２８    第２の繰出コア
２９    第２のテープ
３０    回転支軸
３１    回転支軸
３２    第２の巻取コア
３３    連動ローラー
３４    弾性伸縮帯
３５    揺動アーム
３６    回転支軸
３７    ばね受け軸
３８    ばね受け壁
３９    ねじりコイルばね
４０    連動ローラー
４１    連動コア
４２    ばね受け軸
４３    ねじりコイルばね
４４    弾性伸縮帯
【図１】
2009241335.tif 000003
【図２】
2009241335.tif 000004
【図３】
2009241335.tif 000005
【図４】
2009241335.tif 000006
【図５】
2009241335.tif 000007
【図６】
2009241335.tif 000008
【図７】
2009241335.tif 000009
【図８】
2009241335.tif 000010
【図９】
2009241335.tif 000011
【図１０】
2009241335.tif 000012
【図１１】
2009241335.tif 000013
【図１２】
2009241335.tif 000014
【図１３】
2009241335.tif 000015
【図１４】
2009241335.tif 000016
【図１５】
2009241335.tif 000017
【図１６】
2009241335.tif 000018
【図１７】
2009241335.tif 000019
【図１８】
2009241335.tif 000020
【図１９】
2009241335.tif 000021